(57)【要約】【課題】プリント端末が画像蓄積サーバーに保存された画像を印刷する際、印画物に付加された画像識別情報を参照することなくその画像蓄積サーバーに保存された画像を印刷することが可能なプリントシステムを提供するものである。【解決手段】プリントシステムは、画像蓄積サーバーと、画像を前記画像蓄積サーバーから、通信網を介して読み込んで印刷するプリント端末とを含む。画像蓄積サーバーは、ユーザーにより指定された画像に基づき生成された第１顔認証データに関連付けて画像を保存する。プリント端末は、第１顔認証データの人物と同一人物が写っている画像に基づき生成された第２顔認証データを用いた認証により前記画像蓄積サーバーにアクセスし、前記画像蓄積サーバーに保存された前記画像を読み込む。【選択図】図４
2020060845.tif 000002
【特許請求の範囲】
【請求項１】
画像を保存する画像蓄積サーバーと、
前記画像を前記画像蓄積サーバーから、通信網を介して読み込んで、印刷するプリント端末と、を備え、
前記画像蓄積サーバーは、
ユーザーにより指定された画像に基づき生成された第１顔認証データに関連付けて前記画像を保存し、
前記プリント端末は、
前記第１顔認証データの人物と同一人物が写っている画像に基づき生成された第２顔認証データを用いた認証により前記画像蓄積サーバーにアクセスし、前記画像蓄積サーバーに保存された前記画像を読み込む、プリントシステム。
【請求項２】
前記画像蓄積サーバーは、
前記第１顔認証データに対応して設定される情報であって、前記ユーザーによる前記画像へのアクセスを許可するか否かの照合に用いられる第１アクセス情報を、さらに保存し、
前記プリント端末は、
前記第１顔認証データに対応する前記第１アクセス情報と、前記第１アクセス情報に対応して入力される第２アクセス情報との照合結果に基づいて、前記画像蓄積サーバーに保存された前記画像を読み込む、請求項１に記載のプリントシステム。
【請求項３】
前記プリント端末は、
前記第１アクセス情報を設定するアクセス情報設定部をさらに含む、請求項２に記載のプリントシステム。
【請求項４】
前記第１アクセス情報は、前記画像蓄積サーバーに前記画像をアップロードした登録者と、前記ユーザーとが、互いに知り得る質問と前記質問に対する回答とを含み、
前記第２アクセス情報は、前記第１アクセス情報に含まれる前記質問に対する前記回答を含む、請求項２または請求項３に記載のプリントシステム。
【請求項５】
前記第２顔認証データの生成に用いられる前記画像は、前記画像蓄積サーバーに保存されている前記画像とは異なる、請求項１から請求項４のいずれか一項に記載のプリントシステム。
【請求項６】
画像を保存する画像蓄積サーバーから、通信網を介して前記画像を読み込んで、印刷するプリント端末であって、
前記画像蓄積サーバーは、
ユーザーにより指定された画像に基づき生成される第１顔認証データに関連付けて前記画像を保存し、
前記プリント端末は、
前記第１顔認証データの人物と同一人物が写っている画像に基づき生成された第２顔認証データを
と用いた認証により前記画像蓄積サーバーにアクセスし、前記画像蓄積サーバーに保存された前記画像を読み込む、プリント端末。
【請求項７】
前記画像蓄積サーバーは、
前記第１顔認証データに対応して設定される情報であって、前記ユーザーによる前記画像へのアクセスを許可するか否かの照合に用いられる第１アクセス情報を、さらに保存し、
前記プリント端末は、
前記第１顔認証データに対応する前記第１アクセス情報と、前記第１アクセス情報に対応して入力される第２アクセス情報との照合結果に基づいて、前記画像蓄積サーバーに保存された前記画像を読み込む、請求項６に記載のプリント端末。
【請求項８】
前記プリント端末は、
前記第１アクセス情報を設定するアクセス情報設定部をさらに備える、請求項７に記載のプリント端末。
【請求項９】
前記第１アクセス情報は、前記画像蓄積サーバーに前記画像をアップロードした登録者と、前記ユーザーとが、互いに知り得る質問と前記質問に対する回答とを含み、
前記第２アクセス情報は、前記第１アクセス情報に含まれる前記質問に対する前記回答を含む、請求項７または請求項８に記載のプリント端末。
【請求項１０】
前記第２顔認証データの生成に用いられる前記画像は、前記画像蓄積サーバーに保存されている前記画像とは異なる、請求項６から請求項９のいずれか一項に記載のプリント端末。
【発明の詳細な説明】
【技術分野】
【０００１】
本発明は、画像サーバーに保存されている画像を印刷するプリントシステムおよびプリント端末に関する。
【背景技術】
【０００２】
プリント端末と画像サーバーとがネットワークで接続されたプリントシステムにおいて、画像サーバーは、プリント端末からアップロードされた画像を保存する。プリント端末は、ユーザー操作に応じて、画像サーバーから画像をダウンロードして印刷する。
【０００３】
このようなプリントシステムは、一度印刷した画像を、再度簡単に印刷するために、印刷した画像を画像サーバーにアップロードして保存し、かつ、保存した画像を識別するための画像識別データがコード化された二次元バーコードを付して画像を印刷する。その後、再度、画像を印刷する時には、プリントシステムは、印刷物に印刷された二次元バーコードを読み取り、その画像識別データに対応する画像を画像サーバーからダウンロードして印刷を行う（例えば、特許文献１参照）。
【先行技術文献】
【特許文献】
【０００４】
【特許文献１】特開２００６−１１６９４３号公報
【発明の概要】
【発明が解決しようとする課題】
【０００５】
特許文献１に記載のプリントシステムは、最初に印刷した印刷物に付加された画像識別データに基づいて、印刷すべき画像を画像サーバーからダウンロードして印刷する。そのため、プリントシステムは、ユーザーが行うべき再印刷の手順を容易化する。しかしながら、ユーザーは、画像識別情報が付加された印画物を所持していなければ、画像サーバーに保存された画像を印刷できないという問題があった。
【０００６】
本発明は、上述のような課題を解決するためになされたものであり、プリント端末が画像蓄積サーバーに保存された画像を印刷する際、画像識別情報が付加された印画物をユーザーが所持していなくても、画像蓄積サーバーに保存された画像を印刷することが可能なプリントシステムを提供するものである。
【課題を解決するための手段】
【０００７】
本発明に係るプリントシステムは、画像を保存する画像蓄積サーバーと、画像を画像蓄積サーバーから、通信網を介して読み込んで、印刷するプリント端末と、を含む。画像蓄積サーバーは、ユーザーにより指定された画像に基づき生成された第１顔認証データに関連付けて画像を保存する。プリント端末は、第１顔認証データの人物と同一人物が写っている画像に基づき生成された第２顔認証データを用いた認証により画像蓄積サーバーにアクセスし、画像蓄積サーバーに保存された画像を読み込む。
【発明の効果】
【０００８】
本発明によれば、プリント端末が画像蓄積サーバーに保存された画像を印刷する際、画像識別情報が付加された印画物をユーザーが所持していなくても、画像蓄積サーバーに保存された画像を印刷するプリントシステムの提供が可能である。
【０００９】
本発明の目的、特徴、局面、および利点は、以下の詳細な説明と添付図面とによって、より明白になる。
【図面の簡単な説明】
【００１０】
【図１】プリントシステムのシステムの構成を示す概略図である。
【図２】プリントシステムを構成する画像蓄積サーバーのハードウェア構成を示す図である。
【図３】プリントシステムを構成するプリント端末のハードウェア構成を示す図である。
【図４】プリントシステムの構成を示す機能ブロック図である。
【図５】画像蓄積サーバーに保存されるディレクトリの構成の一例を示す図である。
【図６】登録者情報の具体的な例を示す図である。
【図７】登録者情報の具体的な例を示す図である。
【図８】登録者情報の具体的な例を示す図である。
【図９】質問および回答の具体的な例を示す図である。
【図１０】質問および回答の具体的な例を示す図である。
【図１１】質問および回答の具体的な例を示す図である。
【図１２】プリントシステムの印刷動作を示すフローチャートである。
【図１３】プリントシステムが記録媒体等から画像を読み込んで印刷する場合の詳細な印刷動作を示すフローチャートである。
【図１４】第１顔認証データの生成および第１アクセス情報の設定動作の詳細を示すフローチャートである。
【図１５】第１顔認証データ生成のための顔認証用画像を示す図である。
【図１６】プリントシステムが画像蓄積サーバーから画像を読み込んで印刷する場合の詳細な印刷動作を示すフローチャートである。
【図１７】第１顔認証データと第２顔認証データとの照合動作の詳細を示すフローチャートである。
【図１８】第２顔認証データ生成のための顔認証用画像を示す図である。
【図１９】第１アクセス情報と第２アクセス情報との照合動作の詳細を示すフローチャートである。
【図２０】表示部に表示された登録者情報および選択画面の一例を示す図である。
【図２１】表示部に表示された質問と回答入力画面の一例を示す図である。
【発明を実施するための形態】
【００１１】
（プリントシステムの構成）
図１は、実施の形態におけるプリントシステムの構成を示す概略図である。プリントシステムは、画像蓄積サーバー１および複数のプリント端末３により構成されている。ここでは、複数のプリント端末３は、プリント端末３Ａから３Ｃにより構成されている。複数のプリント端末３の各々は、インターネットなどの通信網２を経由して、画像蓄積サーバー１と相互に通信可能に接続されている。プリント端末３は、画像蓄積サーバー１に保存されている画像を、通信網２を介して読み込んで印刷する。
【００１２】
図２は、プリントシステムを構成する画像蓄積サーバー１のハードウェア構成を示す図である。
【００１３】
画像蓄積サーバー１は、大容量ＨＤＤ（Hard Disk Drive）３１、通信インターフェース（Ｉ／Ｆ）３２、メモリー３３、プロセッサ３４、およびデータバス３５を有する。
【００１４】
大容量ＨＤＤ３１は、画像、画像の登録者の情報、画像にアクセスする際の照合に用いられる情報である顔認証データおよびアクセス情報などを保存する。
【００１５】
通信Ｉ／Ｆ３２は、通信網２を経由してプリント端末３と相互に通信する。
【００１６】
メモリー３３は、一時記憶メモリーと不揮発性メモリーとを有する。一時記憶メモリーは、画像処理および検索処理に関わるデータ等を一時的に保存する。一時記憶メモリーは、例えばＲＡＭ（Random Access Memory）等である。不揮発性メモリーは、画像蓄積サーバー１の動作を制御するための制御プログラム、初期設定値などを保存する。不揮発性メモリーは、例えばフラッシュメモリー等である。
【００１７】
プロセッサ３４は、メモリー３３に保存された制御プログラムを実行する。それにより、画像蓄積サーバー１の各機能が実現される。すなわち、プロセッサ３４は、画像蓄積サーバー１の動作を制御する。プロセッサ３４は、例えば、ＣＰＵ（Central Processing Unit）である。
【００１８】
データバス３５は、画像蓄積サーバー１の内部におけるデータの通信を行う。
【００１９】
図３は、プリントシステムを構成するプリント端末３のハードウェア構成を示す図である。
【００２０】
プリント端末３は、ＣＤ・ＤＶＤドライブ１１、メモリーカードドライブ１２、ディスプレイモニタ１３、スピーカー１４、タッチパネル１５、マウス・キーボード１６、課金器１７、プリンタ１８、通信インターフェース（Ｉ／Ｆ）１９、ＨＤＤ２０、メモリー２１、プロセッサ２２、およびデータバス２３を有する。
【００２１】
ＣＤ・ＤＶＤドライブ１１は、ユーザーが持参する記録媒体であるＣＤあるいはＤＶＤから画像を読み込む。メモリーカードドライブ１２は、同様に、ユーザーが持参する記録媒体であるメモリーカードメディアから画像を読み込む。
【００２２】
ディスプレイモニタ１３は、操作画面あるいは報知内容を表示する。スピーカー１４は、操作の案内あるいは報知内容を音声出力する。
【００２３】
タッチパネル１５は、ディスプレイモニタ１３の表示面に設けられ、ユーザーによる操作を受け付ける。マウス・キーボード１６も、同様に、ユーザーによる操作を受け付ける。
【００２４】
課金器１７は、ユーザーによって投入されたお金の金額を計数する。
【００２５】
プリンタ１８は、ユーザーが持参する記録媒体等から読み込まれた画像、または、画像蓄積サーバー１からダウンロードされた画像を印刷する。
【００２６】
通信Ｉ／Ｆ１９は、通信網２を経由して画像蓄積サーバー１と相互に通信する。また、通信Ｉ／Ｆ１９は、ユーザーが携帯する情報処理通信端末と相互に通信する。情報処理通信端末とは、例えば、携帯電話あるいはスマートフォンである。通信方法は、有線あるいは無線である。
【００２７】
ＨＤＤ２０は、画像などを保存する。
【００２８】
メモリー２１は、一時記憶メモリーと不揮発性メモリーとを有する。一時記憶メモリーは、画像処理および印画処理に関わるデータ等を一時的に保存する。一時記憶メモリーとは、例えばＲＡＭ等である。不揮発性メモリーは、プリント端末３の動作を制御するための制御プログラム、初期設定値などを保存する。不揮発性メモリーは、例えばフラッシュメモリー等である。
【００２９】
プロセッサ２２は、メモリー２１に保存されている制御プログラムを実行する。それにより、プリント端末３の各機能が実現される。すなわち、プロセッサ２２は、プリント端末３の動作を制御する。プロセッサ２２は、例えば、ＣＰＵである。
【００３０】
データバス２３は、プリント端末３の内部におけるデータの通信を行う。
【００３１】
図４は、プリントシステムの構成を示す機能ブロック図である。
【００３２】
画像蓄積サーバー１は、記憶部４１、識別情報処理部４３、管理部４４、および通信部４５を有する。
【００３３】
記憶部４１は、画像を保存する。画像には、ユーザーがその画像にアクセスすることを許可するか否かの認証に用いられる顔認証データ（以下、第１顔認証データという。）が関連付けられて保存されている。また、記憶部４１は、ユーザーによる画像へのアクセスを許可するか否かの照合に用いられる情報である第１アクセス情報を保存する。第１アクセス情報は、第１顔認証データに対応して設定されている。第１アクセス情報は、例えば、画像蓄積サーバー１に画像をアップロードした登録者とアクセス許可者とが互いに知り得る共通認識情報を含む。アクセス許可者とは、登録者によって第１顔認証データの生成が選択された者、すなわち、第１顔認証データが示す人物と同一人物を含む。また、アクセス許可者とは、その同一人物から許可を受けてその同一人物の画像を所有している者を含む。共通認識情報とは、例えば、登録者とアクセス許可者とが互いに知り得る質問、およびその質問に対する回答である。また、共通認識情報は、登録者および各アクセス許可者以外の者が知らない情報、つまり登録者および各アクセス許可者のみが知る質問および回答であってもよい。また、詳細は後述するが、記憶部４１には、識別情報毎に複数のディレクトリ４２が作成されている。ここでは、ディレクトリ４２Ａからディレクトリ４２Ｎが作成されている。識別情報とは、第１顔認証データおよびそれに対応する第１アクセス情報のことである。記憶部４１は、その識別情報毎に作成された複数のディレクトリ４２の各々に、各第１顔認証データ、第１アクセス情報および画像を格納する。
【００３４】
識別情報処理部４３は、記憶部４１に保存されている複数の第１顔認証データと、プリント端末３から照合を求められた顔認証データ（以下、第２顔認証データという。）とを照合する。識別情報処理部４３は、複数の第１顔認証データのうち、第２顔認証データと同一人物であると判定した一の第１顔認証データが保存されている一のディレクトリ４２を検索し認識する。
【００３５】
管理部４４は、記憶部４１にディレクトリ４２を作成する、または、ディレクトリ４２の検索を行う。
【００３６】
通信部４５は、プリント端末３との間で、各種データを送受信する。通信部４５は、プリント端末３から第２顔認証データを受信する。また、通信部４５は、識別情報処理部４３にて、第２顔認証データと同一人物であると判定された一の第１顔認証データに対応する第１アクセス情報を、プリント端末３に送信する。また、通信部４５は、第１アクセス情報の照合結果に基づいて、一の第１顔認証データに関連付けられた画像を、プリント端末３に送信する。
【００３７】
記憶部４１、識別情報処理部４３、管理部４４、および通信部４５の各機能は、制御プログラムに記述されている。画像蓄積サーバー１のプロセッサ３４が、その制御プログラムを実行することにより、画像蓄積サーバー１の各機能が実現される。また、記憶部４１は、大容量ＨＤＤ３１を含み、通信部４５は、通信Ｉ／Ｆ３２を含む。
【００３８】
プリント端末３は、画像取得部５４、入力部５３、顔認証データ生成部５５、アクセス情報設定部６０、印刷部５７、表示部５１、音声出力部５２、料金精算部５６、印刷部５７、制御部５８、および通信部５９を有する。
【００３９】
画像取得部５４は、ユーザーにより入力される顔認証用画像を取得する。顔認証用画像とは、ユーザーが写っている画像であって、第２顔認証データの生成に用いられる画像である。画像取得部５４は、ＣＤ・ＤＶＤドライブ１１あるいはメモリーカードドライブ１２に挿入された記録媒体から画像を読み込む。または、画像取得部５４は、ユーザーが携帯する情報処理通信端末から通信Ｉ／Ｆ１９を経由して画像を読み込む。もしくは、画像取得部５４は、画像蓄積サーバー１から通信Ｉ／Ｆ１９を経由して画像を読み込む。
【００４０】
入力部５３は、ユーザーによる操作を受け付ける。入力部５３は、ユーザーにより入力される第２アクセス情報を取得する。第２アクセス情報とは、例えば、第１アクセス情報に含まれる質問に対する回答である。入力部５３は、タッチパネル１５あるいはマウス・キーボード１６を介して第２アクセス情報を取得する。
【００４１】
顔認証データ生成部５５は、顔認証用画像に基づいて、第１顔認証データと照合するための第２顔認証データを生成する。
【００４２】
アクセス情報設定部６０は、第１アクセス情報を設定する。その第１アクセス情報は、例えば、入力部５３を介して登録者によって入力される。
【００４３】
印刷部５７は、画像蓄積サーバー１に保存されている複数の第１顔認証データのうち、第２顔認証データと同一人物であると判定された一の第１顔認証データに関連付けられた画像を、画像蓄積サーバー１から読み込んで印刷する。その際、印刷部５７は、一の第１顔認証データに対応する第１アクセス情報と、入力部５３にて取得された第２アクセス情報との照合結果に基づいて、画像を画像蓄積サーバー１からダウンロードして、印刷する。
【００４４】
表示部５１は、ディスプレイモニタ１３に画像を表示して、ユーザーに操作等の指示を提示する。音声出力部５２は、スピーカー１４から音声を出力して、ユーザーに操作等の指示を提示する。
【００４５】
料金精算部５６は、課金器１７に投入された料金を計数し精算処理を行う。
【００４６】
制御部５８は、プリント端末３の動作を制御および各種処理を行う。
【００４７】
通信部５９は、画像蓄積サーバー１との間で、各種データを通信する。通信部５９は、画像蓄積サーバー１に第２顔認証データを送信する。また、通信部５９は、画像蓄積サーバー１にて、第２顔認証データと同一人物であると判定された一の第１顔認証データに対応する第１アクセス情報を、画像蓄積サーバー１から受信する。また、通信部５９は、第１アクセス情報と第２アクセス情報との照合結果に基づいて、一の第１顔認証データに関連付けられた画像を、画像蓄積サーバー１から受信する。また、通信部５９は、ユーザーが携帯する情報処理通信端末との通信も行う。
【００４８】
画像取得部５４、入力部５３、顔認証データ生成部５５、アクセス情報設定部６０、印刷部５７、表示部５１、音声出力部５２、料金精算部５６、印刷部５７、制御部５８、および通信部５９の各機能は、制御プログラムに記述されている。プリント端末３のプロセッサ２２が、その制御プログラムを実行することにより、プリント端末３の各機能が実現される。また、入力部５３は、ＣＤ・ＤＶＤドライブ１１、メモリーカードドライブ１２、通信Ｉ／Ｆ１９を含んでもよい。また、印刷部５７は、プリンタ１８を含み、通信部５９は、通信Ｉ／Ｆ１９を含む。
【００４９】
（画像蓄積サーバーに保存されるデータの構成）
図５は、画像蓄積サーバー１に格納されるディレクトリ４２の構成の一例を示す図である。
【００５０】
ディレクトリ４２は、複数の画像、登録者情報１０１、識別情報１０２、および第１アクセス情報１０３を格納する。
【００５１】
複数の画像の各々には、その画像の内容に応じたアクセスレベルが設定されている。なお、アクセスレベルは、第１アクセス情報１０３に含まれる情報である。３枚の画像Ａから画像Ｃには、アクセスレベル「１」が設定されている。別の３枚の画像Ｄから画像Ｆには、アクセスレベル「２」が設定されている。また、別の２枚の画像Ｇおよび画像Ｈには、アクセスレベル「３」が設定されている。アクセス権限の広さは、アクセスレベル「３」＞アクセスレベル「２」＞アクセスレベル「１」の関係に対応する。つまり、アクセスレベル「３」が、最も広いアクセス権限に対応する。
【００５２】
登録者情報１０１とは、画像を画像蓄積サーバー１に登録した登録者に関する情報のことである。登録者情報１０１は、登録者の第１顔認証データ、登録者名および登録者の付加情報を含む。図６から図８は、登録者情報１０１の具体的な例を示す図である。ここで、付加情報は必須な情報ではない。例えば、同姓同名の複数の登録者に対応する登録者情報１０１が画像蓄積サーバー１に保存されている場合、管理部４４は第１付加情報または第２付加情に基づき検索対象のディレクトリ４２を区別する。
【００５３】
識別情報１０２とは、画像の保存先の識別に用いられる情報である。識別情報１０２は、第１顔認証データと、その第１顔認証データ毎に設定されたアクセスレベルとを含む。例えば、登録者の第１顔認証データ「１」には、アクセスレベル「３」が設定されている。アクセス許可者の第１顔認証データ「２」には、アクセスレベル「３」が設定されている。また、他のアクセス許可者の第１顔認証データ「３」には、アクセスレベル「２」が設定されている。さらに他のアクセス許可者の第１顔認証データ「１」には、アクセスレベル「３」が設定されている。なお、この図５の説明において、アクセス許可者とは、登録者によって第１顔認証データの生成が選択された者である。
【００５４】
この場合、アクセスレベル「１」が設定された画像Ａから画像Ｃには、第１顔認証データ「２」、「３」または「４」に対応するアクセス許可者および登録者がアクセスできる。アクセスレベル「２」が設定された画像Ｄから画像Ｆには、第１顔認証データ「２」または「３」に対応するアクセス許可者および登録者がアクセスできる。アクセスレベル「３」が設定された画像Ｇおよび画像Ｈには、第１顔認証データ「２」に対応するアクセス許可者および登録者がアクセスできる。なお、必ずしも画像毎に異なるアクセスレベルが設定される必要は無い。例えば、全てのアクセス許可者の各第１顔認証データに対し、アクセスレベル「１」が設定された場合、その全てのアクセス許可者が全ての画像にアクセスすることが許可される。
【００５５】
第１アクセス情報１０３は、上述したとおり、登録者と複数のアクセス許可者の各々とが互いに知り得る共通認識情報を含む。ここでは、共通認識情報は、質問およびその質問に対する回答である。その質問および回答は、アクセスレベル毎に設定され保存されている。図９から図１１は、質問および回答の具体的な例を示す図である。
【００５６】
（動作）
次に動作について説明する。図１２は、実施の形態におけるプリントシステムの印刷動作を示すフローチャートである。
【００５７】
ステップＳ０１にて、プリント端末３の表示部５１は、プリントサービスの選択画面を表示する。ここでは、表示部５１は、選択画面に、「記憶媒体等から印刷対象画像を読み込んで印刷」または「画像蓄積サーバーから印刷対象画像を読み込んで印刷」を選択肢として表示する。また、音声出力部５２は、表示部５１がプリントサービスの選択画面を表示する際に、音声を出力し、ユーザーが行うべき選択操作の指示を当該ユーザーに通知する。ユーザーは、その指示に従い一の選択肢を選択し、入力部５３は、その選択された一の選択肢を取得する。
【００５８】
ステップＳ０２にて、制御部５８は、「画像蓄積サーバーから印刷対象画像を読み込んで印刷」が選択されたか否かを判定する。「記録媒体等から印刷対象画像を読み込んで印刷」が選択された場合、ステップＳ０３が実行される。「画像蓄積サーバーから印刷対象画像を読み込んで印刷」が選択された場合、ステップＳ０４が実行される。
【００５９】
以下、ステップＳ０３にて、プリントシステムが記録媒体等から画像を読み込んで印刷する場合の詳細な印刷動作を説明する。図１３は、プリントシステムが記録媒体等から画像を読み込んで印刷する場合の詳細な印刷動作を示すフローチャートである。
【００６０】
ステップＳ１１にて、画像取得部５４は、記録媒体から、あるいは、通信Ｉ／Ｆ１９を経由して情報処理通信端末から、印刷対象画像を含む少なくとも１つの画像を読み込む。ここでは、画像取得部５４は複数の画像を読み込む。
【００６１】
ステップＳ１２にて、表示部５１は、画像取得部５４にて取得された複数の画像を表示する。ユーザーは、プリント端末３の指示に従って、複数の画像から少なくとも１つの印刷対象画像を選択する。また、ユーザーは、当該印刷対象画像の印刷対象物である印刷メディア、印刷サイズ、および印刷枚数に関する印刷用情報を入力する。入力部５３は、ユーザーにより選択された少なくとも１つの印刷対象画像の選択結果および印刷用情報を取得する。
【００６２】
ステップＳ１３にて、表示部５１は、画像のアップロードの要否に関する選択画面を表示する。入力部５３は、ユーザーが選択画面の指示に従って入力したアップロードの要否の選択結果を取得する。
【００６３】
ステップＳ１４にて、制御部５８は、選択結果に基づき、画像をアップロードするか否かを判定する。画像をアップロードする場合、ステップＳ１５が実行される。画像をアップロードしない場合、ステップＳ１６が実行される。
【００６４】
ステップＳ１５にて、プリントシステムは、第１顔認証データの生成および第１アクセス情報の設定を行う。図１４は、第１顔認証データの生成および第１アクセス情報の設定動作の詳細を示すフローチャートである。
【００６５】
ステップＳ１５１にて、表示部５１は、画像蓄積サーバー１にアップロードするアップロード対象画像、および第１顔認証データを生成する人物が写っている画像を選択するための選択画面を表示する。
【００６６】
登録者は、プリント端末３の指示に従って、表示部５１に表示された少なくとも１つの印刷対象画像から、アップロード対象画像および第１顔認証データを生成する人物（以下、第１顔認証データ生成対象者という。）が写った画像を選択する。この第１顔認証データ生成対象者が写った画像は、第１顔認証データを生成するための顔認証用画像である。また、登録者は、第１顔認証データを生成するための顔認証用画像において、第１顔認証データ生成対象者の顔領域を選択する。
【００６７】
図１５は、第１顔認証データ生成のための顔認証用画像７０の一例を示す図である。図１５において、５人の第１顔認証データ生成対象者７１およびそれらの顔領域７２が選択されている。以上により、入力部５３は、登録者により選択されたアップロード対象画像および顔認証用画像７０の選択結果を取得する。また、入力部５３は、顔認証用画像７０における第１顔認証データ生成対象者７１の顔領域７２の情報を取得する。
【００６８】
ステップＳ１５２にて、顔認証データ生成部５５は、顔認証用画像７０に基づき第１顔認証データ生成対象者７１の第１顔認証データを生成する。第１顔認証データは、画像蓄積サーバー１にアップロードされる画像に関連付けられている。
【００６９】
顔認証データを生成する方法は、既知の技術のため詳細な説明は省略するが、顔認証データ生成部５５は、登録者により選択された顔領域７２から顔検出処理を行う。その後、顔認証データ生成部５５は、目、鼻、口端などの顔特徴点検出処理を行い、顔領域７２の位置、向き、大きさに基づき正規化された顔認証データを生成する。なお、顔認証用画像７０が、顔認証データ生成部５５による顔特徴点検出の処理が正確に行われないような画像である場合、表示部５１または音声出力部５２は、その旨を登録者に通知してもよい。例えば、顔認証用画像７０が不明瞭な画像、解像度の低い画像、コントラストのない画像などの場合、表示部５１または音声出力部５２は、正確な顔認証データが生成できない旨を登録者に報知する。
【００７０】
ステップＳ１５３にて、表示部５１は、登録者情報の入力画面を表示する。入力部５３は、登録者がプリント端末３の指示に従って入力する登録者情報を取得する。登録者情報は、図６から図８に示されるように、登録者名とそれに関連付けられた付加情報とを含む。
【００７１】
ステップＳ１５４にて、表示部５１は、第１顔認証データに対応するアクセス許可者のアクセスレベルの入力画面を表示する。登録者は、プリント端末３の指示に従って、第１顔認証データ毎に、アクセス許可者のアクセスレベルを入力する。アクセスレベル設定部は、第１顔認証データ毎にアクセスレベルを設定する。なお、ステップＳ１５４およびＳ１５５におけるアクセス許可者とは、登録者によって第１顔認証データの生成が選択された者、すなわち第１顔認証データ生成対象者７１のことである。
【００７２】
ステップＳ１５５にて、表示部５１は、登録者とアクセス許可者との共通認識情報の入力画面を表示する。入力部５３は、プリント端末３の指示に従って登録者がアクセスレベル毎に入力した共通認識情報を取得する。共通認識情報とは、例えば、図９から図１１のいずれかに示される質問および回答である。それら質問および回答は、アクセスレベルと関連付けられる。これらは、第１アクセス情報に対応する。つまり、ステップＳ１５４およびＳ１５５にて、第１顔認証データに対応する第１アクセス情報が設定される。
【００７３】
以上により、第１顔認証データの生成および第１アクセス情報の設定動作は終了する。次に、図１３のステップＳ１６が実行される。
【００７４】
ステップＳ１６にて、表示部５１または音声出力部５２は、ユーザーに対し、利用料金を課金器１７に投入するよう指示する。料金精算部５６は、課金器１７に投入された金額と、表示部５１または音声出力部５２によって指示された利用料金とに基づいて、料金精算を行う。
【００７５】
ステップＳ１７にて、印刷部５７は、料金精算の完了後、印刷対象画像を、印刷メディアに印刷する。
【００７６】
ステップＳ１８にて、制御部５８は、画像をアップロードするか否かを判定する。画像をアップロードする場合、ステップＳ１９が実行される。画像をアップロードしない場合、ステップＳ２０が実行される。
【００７７】
ステップＳ１９にて、プリント端末３の通信部５９は、画像蓄積サーバー１に、通信網２を経由して、アップロード対象画像、登録者情報、識別情報および第１アクセス情報をアップロードする。上述したように、識別情報は、アクセスレベルが設定された第１顔認証データを含む。また、第１アクセス情報は、アクセスレベル毎に設定された質問および回答を含む。そして、画像蓄積サーバー１の通信部４５は、プリント端末３から通信網２を経由して送信された画像、登録者情報、識別情報およびアクセス情報を受信する。管理部４４は、識別情報毎にディレクトリ４２を作成する。記憶部４１は、各ディレクトリ４２に、画像、登録者情報、アクセス情報を保存する。すなわち、画像蓄積サーバー１には、ユーザーにより指定された画像に基づき生成された第１顔認証データと、第１顔認証データに設定された第１アクセス情報とが、画像とともに保存される。
【００７８】
ステップＳ２０にて、プリント端末３の印刷部５７は、印刷が完了した印刷物を外部に排出する。ユーザーは、印刷物を受け取る。以上により、プリントシステムの印刷動作は終了する。
【００７９】
なお、ステップＳ１４にて画像のアップロードを行うと判定された場合、プリント端末３は、ステップＳ１９におけるアップロード処理を、ステップＳ１７の印刷処理の終了あるいはその印刷処理と並行して実行してもよい。また、ステップＳ１４にて画像のアップロードを行わないと判定された場合、プリント端末３は、ステップＳ１６で料金精算を行い、ステップＳ１７で印刷対象画像を印刷し、ステップＳ２０で印刷物を排出して、プリントシステムの印刷動作は終了する。
【００８０】
次に、図１２におけるステップＳ０４にて、プリントシステムが画像蓄積サーバー１から画像を読み込んで印刷する場合の詳細な印刷動作を説明する。図１６は、プリントシステムが画像蓄積サーバー１から画像を読み込んで印刷する場合の詳細な印刷動作を示すフローチャートである。
【００８１】
ステップＳ３１にて、プリントシステムは、第１顔認証データと第２顔認証データとを照合する。図１７は、第１顔認証データと第２顔認証データとの照合動作の詳細を示すフローチャートである。
【００８２】
ステップＳ３１１にて、画像取得部５４は、記録媒体から、あるいは、通信Ｉ／Ｆ１９を経由して情報処理通信端末から、第２顔認証データを生成するための画像を含む少なくとも１つの画像を読み込む。
【００８３】
ステップＳ３１２にて、表示部５１は、画像取得部５４にて取得された画像を表示する。ユーザーは、プリント端末３の指示に従い、表示部５１に表示された画像から、第２顔認証データを生成するための画像を選択する。この画像は、第２顔認証データ生成のための顔認証用画像である。また、ユーザーは、その顔認証用画像における第２顔認証データを生成する人物（以下、第２顔認証データ生成対象者という。）の顔領域を指定する。図１８は、第２顔認証データ生成のための顔認証用画像８０の一例を示す図である。３人の人物から１人が第２顔認証データ生成対象者８１として選択され、また、その第２顔認証データ生成対象者８１の顔領域８２が指定されている。入力部５３は、ユーザーにより選択された顔認証用画像８０の選択結果、および顔認証用画像８０に写った第２顔認証データ生成対象者８１の顔領域８２の情報を取得する。
【００８４】
ステップＳ３１３にて、顔認証データ生成部５５は、顔認証用画像８０および顔認証用画像８０における第２顔認証データ生成対象者８１の顔領域８２を認識し、第２顔認証データを生成する。
【００８５】
ステップＳ３１４にて、プリント端末３の通信部５９は、第２顔認証データを画像蓄積サーバー１にアップロードして、その第２顔認証データと同一人物であると判定される第１顔認証データが画像蓄積サーバー１の記憶部４１に保存されているか否かを問い合わせる。
【００８６】
ステップＳ３１５にて、画像蓄積サーバー１の通信部４５は、プリント端末３からアップロードされた第２顔認証データを受信する。
【００８７】
ステップＳ３１６にて、識別情報処理部４３は、記憶部４１に、第２顔認証データに関連する第１顔認証データが存在するか否かを判定する。すなわち、識別情報処理部４３は、第２顔認証データと同一人物と判定できる第１顔認証データが存在するか否かを判定し、管理部４４は、その第２顔認証データと同一人物と判定できる第１顔認証データを含む少なくとも１つのディレクトリ４２を検索する。以下、第２顔認証データと同一人物と判定できる第１顔認証データを含むディレクトリ４２を対象ディレクトリ４２Ａという。
【００８８】
第２顔認証データに関連する第１顔認証データが存在しない場合、ステップＳ３１７が実行される。第２顔認証データに関連する第１顔認証データが存在する場合、以下の（ｉ）または（ｉｉ）の何れかが実行される。（ｉ）画像蓄積サーバー１は、対象ディレクトリ４２の画像をプリント端末３に送信し、プリント端末３はその画像を印刷する。すなわち、（ｉ）の場合、プリントシステムは、ユーザーがアクセス許可者であると判定したこととなる。ただし、アクセス許可者でないユーザーが、第１顔認証データ生成対象者の顔写真を入手し、顔認証用画像として使用することも考えられる。その場合、ユーザーは、不正に入手した画像に基づく第１顔認証データによって、対象ディレクトリ４２Ａにアクセスし、画像を印刷することができる。そのような可能性を排除するため、本実施の形態のプリントシステムにおいては、第２顔認証データに関連する第１顔認証データが存在する場合、（ｉｉ）ステップＳ３１９が実行される。ただし、本発明は（ｉｉ）の場合に限定されるものではなく、（ｉｉ）を実行するプリントシステムは、その好ましい一形態である。
【００８９】
ステップＳ３１７にて、画像蓄積サーバー１の通信部４５は、プリント端末３に、第２顔認証データに関連する対象ディレクトリ４２Ａが無い旨を送信する。
【００９０】
ステップＳ３１８にて、プリント端末３の通信部５９は、画像蓄積サーバー１から第２顔認証データと関連する対象ディレクトリ４２Ａが無い旨を受信する。表示部５１または音声出力部５２は、ユーザーに第２顔認証データと関連する対象ディレクトリ４２Ａが無い旨を報知する。そして、プリントシステムの印刷動作は終了する。
【００９１】
ステップＳ３１９にて、画像蓄積サーバー１の通信部４５は、少なくとも１つの対象ディレクトリ４２Ａの各々に保存されている登録者情報と第１アクセス情報とをプリント端末３に送信する。
【００９２】
以上で、第１顔認証データと第２顔認証データとの照合動作は終了する。ステップＳ３１９の後、図１６のステップＳ３２が実行される。
【００９３】
ステップＳ３２にて、プリントシステムは、画像蓄積サーバー１から送信された第１アクセス情報と、ユーザーによって入力部５３に入力される第２アクセス情報とを照合する。図１９は、第１アクセス情報と第２アクセス情報との照合動作の詳細を示すフローチャートである。
【００９４】
ステップＳ３２１にて、プリント端末３の通信部５９は、画像蓄積サーバー１から送信された登録者情報と第１アクセス情報とを受信する。図１７のステップＳ３１５において識別情報処理部４３が対象ディレクトリ４２Ａを１つだけ認識した場合、表示部５１は、このステップＳ３２１において、その１つの対象ディレクトリ４２Ａに関連する登録者情報と第１アクセス情報とを表示する。
【００９５】
一方で、ステップＳ３１５において識別情報処理部４３が２以上の対象ディレクトリ４２Ａを認識する場合もある。例えば、画像蓄積サーバー１への画像のアップロードの際、複数の登録者が同一人物をアクセス許可者として設定した場合、各ディレクトリ４２にはその同一人物の第１顔認証データが格納される。より具体的には、複数の登録者として、「家族」、「旅行ツアー主催者」および「所属サッカークラブの幹事」の各々が、同一人物をアクセス許可者として設定した場合、各ディレクトリ４２にはその同一人物の第１顔認証データが格納される。その結果、ステップＳ３１５において、識別情報処理部４３は、第２顔認証データと同一人物と判定できる第１顔認証データを含む２以上の対象ディレクトリ４２Ａを認識する。
【００９６】
このような場合、ステップＳ３２１において、表示部５１は、認識された全ての対象ディレクトリ４２Ａに保存されている登録者情報を表示する。さらに、表示部５１は、その登録者情報のうち、１人の登録者に対応する登録者情報をユーザーが選択するための選択画面を表示する。図２０は、表示部５１に表示された登録者情報および選択画面の一例を示す図である。ユーザーは、複数の登録者の中から１人の登録者を選択する。入力部５３は、ユーザーによって選択されたその１人の登録者を取得する。
【００９７】
ステップＳ３２２にて、表示部５１は、第１アクセス情報に含まれるアクセスレベル「１」の質問および回答入力欄を表示する。図２１は、表示部５１に表示された質問と回答入力画面の一例を示す図である。図２１に示される質問は、図９に示された第１アクセス情報に含まれるアクセスレベル「１」に設定された質問である。入力部５３は、ユーザーにより入力される回答を第２アクセス情報として取得する。
【００９８】
ステップＳ３２３にて、制御部５８は、質問に対する回答が正しいか否か判定する。すなわち、制御部５８は、第１アクセス情報に含まれるアクセスレベル「１」の回答と、第２アクセス情報として入力された回答とが一致するか否かを判定する。アクセス許可者がユーザーとしてプリント端末３を操作している場合、質問に対する回答は、登録者とアクセス許可者であるユーザーとが知り得るものであるため、それらは一致する。一致する場合、ステップＳ３２４が実行される。この場合、プリントシステムは、ユーザーがアクセスレベル「１」以上のアクセス許可者であると判定したこととなる。アクセス許可者でない者がユーザーとしてプリント端末３を操作している場合、質問に対する回答は、一致しない可能性が高い。一致しない場合、ステップＳ３３１が実行される。この場合、プリントシステムは、ユーザーがアクセス許可者でないと判定したこととなる。
【００９９】
ステップＳ３２４にて、制御部５８は、第２顔認証データに対応する第１顔認証データにアクセスレベル「２」が設定されているか否かを判定する。アクセスレベル「２」が設定されている場合、ステップＳ３２５が実行される。アクセスレベル「２」が設定されていない場合、ステップＳ３３０が実行される。
【０１００】
ステップＳ３２５にて、表示部５１は、第１アクセス情報に含まれるアクセスレベル「２」の質問および回答入力欄を表示する。入力部５３は、ユーザーにより入力される回答を第２アクセス情報として取得する。
【０１０１】
ステップＳ３２６にて、制御部５８は、質問に対する回答が正しいか否か判定する。すなわち、制御部５８は、第１アクセス情報に含まれるアクセスレベル「２」の回答と、第２アクセス情報として入力された回答とが一致するか否かを判定する。一致する場合、ステップＳ３２７が実行される。この場合、プリントシステムは、ユーザーがアクセスレベル「２」以上のアクセス許可者であると判定したこととなる。一致しない場合、ステップＳ３３１が実行される。この場合、プリントシステムは、ユーザーがアクセスレベル「１」のアクセス許可者であると判定したこととなる。
【０１０２】
ステップＳ３２７にて、制御部５８は、第２顔認証データに対応する第１顔認証データにアクセスレベル「３」が設定されているか否かを判定する。アクセスレベル「３」が設定されている場合、ステップＳ３２８が実行される。アクセスレベル「３」が設定されていない場合、ステップＳ３３０が実行される。
【０１０３】
ステップＳ３２８にて、表示部５１は、第１アクセス情報に含まれるアクセスレベル「３」の質問および回答入力欄を表示する。入力部５３は、ユーザーにより入力される回答を第２アクセス情報として取得する。
【０１０４】
ステップＳ３２９にて、制御部５８は、質問に対する回答が正しいか否か判定する。すなわち、制御部５８は、第１アクセス情報に含まれるアクセスレベル「３」の回答と、第２アクセス情報として入力された回答とが一致するか否かを判定する。一致する場合、ステップＳ３３０が実行される。この場合、プリントシステムは、ユーザーがアクセスレベル「３」以上のアクセス許可者であると判定したこととなる。一致しない場合、ステップＳ３３１が実行される。この場合、プリントシステムは、ユーザーがアクセスレベル「２」のアクセス許可者であると判定したこととなる。
【０１０５】
ステップＳ３３０にて、制御部５８は、対象ディレクトリ４２Ａにおいて各アクセスレベルに応じた画像のダウンロード要求を、通信部５９を介して画像蓄積サーバー１に送信する。例えば、ユーザーがアクセスレベル「１」以上のアクセス許可者であり、対象ディレクトリ４２Ａの第１顔認証データにアクセスレベル「１」が設定されている場合（ステップＳ３２４：Ｎｏ）、制御部５８はアクセスレベル「１」の画像のダウンロードを要求する。ユーザーがアクセスレベル「２」以上のアクセス許可者であり、対象ディレクトリ４２Ａの第１顔認証データにアクセスレベル「２」が設定されている場合（ステップＳ３２７：Ｎｏ）、制御部５８はアクセスレベル「２」の画像のダウンロードを要求する。ユーザーがアクセスレベル「３」以上のアクセス許可者であり、対象ディレクトリ４２Ａの第１顔認証データにアクセスレベル「３」が設定されている場合（ステップＳ３２９：Ｙｅｓ）、制御部５８はアクセスレベル「３」の画像のダウンロードを要求する。
【０１０６】
ステップＳ３３１にて、制御部５８は、表示部５１または音声出力部５２は、ユーザーが画像蓄積サーバー１にアクセス可能な画像がない旨を報知する。この場合、プリントシステムの印刷動作は終了する。
【０１０７】
以上で、第１アクセス情報と第２アクセス情報との照合動作は終了する。上述したように、質問に対する回答は、登録者およびアクセス許可者のみが知るものである。そのため、ステップＳ３１において、アクセス許可者でないユーザーが、アクセス許可者の顔写真を入手し、顔認証用画像として使用した場合であっても、ステップＳ３２において、プリントシステムは、ユーザーがアクセス許可者とは異なる他人であると判断する。その後、図１６におけるステップＳ３３が実行される。
【０１０８】
ステップＳ３３にて、画像蓄積サーバー１の通信部４５は、プリント端末３からのダウンロード要求を受信し、管理部４４はそのダウンロード要求に基づいて、対象ディレクトリ４２Ａにおけるユーザーのアクセスレベルに応じた画像を検索する。
【０１０９】
ステップＳ３４にて、画像蓄積サーバー１の通信部４５は、対象ディレクトリ４２Ａにおけるユーザーのアクセスレベルに応じた画像をプリント端末３に送信する。ここでは、通信部４５は、管理部４４にて検索された複数の画像を送信する。
【０１１０】
ステップＳ３５にて、プリント端末３の通信部５９は、画像蓄積サーバー１から送信された複数の画像を受信する。
【０１１１】
ステップＳ３６にて、表示部５１は、通信部５９にて受信された複数の画像を表示する。ユーザーは、プリント端末３の指示に従って、複数の画像から印刷対象画像を選択する。また、ユーザーは、当該印刷対象画像の印刷対象物である印刷メディア、印刷サイズ、および印刷枚数に関する印刷用情報を入力する。入力部５３は、ユーザーにより選択された印刷対象画像および印刷用情報を取得する。
【０１１２】
ステップＳ３７にて、表示部５１または音声出力部５２は、ユーザーに対し、利用料金を課金器１７に投入するよう指示する。料金精算部５６は、課金器１７に投入された金額と、表示部５１または音声出力部５２によって指示された利用料金と、に基づいて料金精算を行う。
【０１１３】
ステップＳ３８にて、印刷部５７は、料金精算の完了後、印刷対象画像を、印刷メディアに印刷する。
【０１１４】
ステップＳ３９にて、印刷部５７は、印刷が完了した印刷物を外部に排出する。ユーザーは、印刷物を受け取る。以上により、プリントシステムの印刷動作は完了する。
【０１１５】
（効果）
ユーザーが記録媒体または情報処理通信端末に記憶されている複数の画像を印刷する際に、ユーザーは当該複数の画像の一部を画像蓄積サーバー１にアップロードすることができる。そして、アクセス情報に登録されたアクセス許可者は、ユーザーによってアップロードされた画像を再印刷する際、ＩＤおよびパスワード、または画像識別情報が付加された印画物などを所持しなくても、登録者によって保存された画像を容易にプリント端末３で印刷することができる。
【０１１６】
以上をまとめると、本実施の形態におけるプリントシステムは、画像を保存する画像蓄積サーバー１と、画像を画像蓄積サーバー１から、通信網２を介して読み込んで、印刷するプリント端末３と、を含む。画像蓄積サーバー１は、アクセス許可者ユーザーにより指定された画像に基づき生成された第１顔認証データに関連付けて画像を保存する。プリント端末３は、第１顔認証データの人物と同一人物が写っている画像（顔認証用画像８０）に基づき生成された第２顔認証データを用いた認証により画像蓄積サーバー１にアクセスし、画像蓄積サーバーに保存された画像を読み込む。
【０１１７】
以上の構成により、プリントシステムはユーザーが予め識別情報が付加された印画物などを所持していなくても、ユーザーの所望する画像を印刷することを可能にする。したがって、プリントシステムは、ユーザーがＩＤおよびパスワードを覚えていなくても、または、識別情報が付加された印画物などを所持していなくても、迅速かつ容易に画像をダウンロードして印刷することを可能にする。また、プリント端末３に、顔認証データを生成するためのカメラなどを設ける必要が無く、プリントシステムを安価に構成することができる。
【０１１８】
また、プリントシステムの画像蓄積サーバー１は、第１顔認証データに対応して設定される情報であって、ユーザーによる画像へのアクセスを許可するか否かの照合に用いられる第１アクセス情報を、さらに保存する。プリント端末３は、第１顔認証データに対応する第１アクセス情報と、その第１アクセス情報に対応して入力される第２アクセス情報との照合結果に基づいて、画像蓄積サーバー１に保存された画像を読み込む。
【０１１９】
以上の構成により、プリントシステムは、画像へのアクセスが許可されていないユーザーが、アクセス許可者の顔写真を顔認証用画像８０として使用してアクセスを試みた場合、アクセス情報の照合結果に基づき、ユーザーがアクセス許可者とは異なる他人であると判断できる。このように、プリントシステムは、ユーザーがアクセス許可者であることを正確に判定し、不正なアクセスを防止する。
【０１２０】
また、プリントシステムのプリント端末３は、第１アクセス情報を設定するアクセス情報設定部６０をさらに含む。
【０１２１】
以上の構成により、プリントシステムは、登録者が画像を画像蓄積サーバー１にアップロードする際に、アクセス許可者の第１顔認証データに対応するアクセス情報として、アクセスレベルを設定することを可能にする。プリントシステムは、登録者とアクセス許可者との関係に応じて、アクセス許可者がダウンロードできる画像の種類を分けることを可能にする。
【０１２２】
また、プリントシステムにおける第１アクセス情報は、画像蓄積サーバー１に画像をアップロードした登録者と、ユーザーとが、互いに知り得る質問と質問に対する回答とを含む。第２アクセス情報は、第１アクセス情報に含まれる質問に対する回答を含む。
【０１２３】
以上の構成により、プリントシステムは、ユーザーが質問に対する回答を入力することにより、そのアクセスがアクセス許可者でないユーザーによる不正アクセスであるか否かを容易に判定することができる。
【０１２４】
また、第２顔認証データの生成に用いられる画像（顔認証用画像８０）は、画像蓄積サーバー１に保存されている画像とは異なる。
【０１２５】
以上の構成により、プリントシステムは、画像蓄積サーバー１にアップロードされた画像だけでなく、ユーザーが保有している別画像により生成した第２顔認証データに基づき、画像蓄積サーバー１から画像をダウンロードする。ユーザーは、プリント端末３が設置された場所に依らず、容易に印刷することが出来る。
【０１２６】
また、実施の形態におけるプリント端末３は、画像を保存する画像蓄積サーバー１から、通信網２を介して画像を読み込んで、印刷するプリント端末３である。画像蓄積サーバー１は、アクセス許可者ユーザーにより指定された画像に基づき生成される第１顔認証データに関連付けて画像を保存する。プリント端末３は、第１顔認証データの人物と同一人物が写っている（顔認証用画像８０）に基づき生成された第２顔認証データを用いた認証により画像蓄積サーバー１にアクセスし、画像蓄積サーバーに保存された画像を読み込む。
【０１２７】
以上の構成により、プリント端末３は、ユーザーが予め識別情報が付加された印画物などを所持していなくても、ユーザーの所望する画像を印刷することを可能にする。したがって、プリント端末３は、ユーザーがＩＤおよびパスワードを覚えていなくても、または、識別情報が付加された印画物などを所持していなくても、迅速かつ容易に画像をダウンロードして印刷することを可能にする。また、プリント端末３に、顔認証データを生成するためのカメラなどを設ける必要が無く、プリント端末３を安価に構成することができる。
【０１２８】
また、プリント端末３の画像蓄積サーバー１は、第１顔認証データに対応して設定される情報であって、ユーザーによる画像へのアクセスを許可するか否かの照合に用いられる第１アクセス情報を、さらに保存する。プリント端末３は、第１顔認証データに対応する第１アクセス情報と、その第１アクセス情報に対応して入力される第２アクセス情報との照合結果に基づいて、画像蓄積サーバー１に保存された画像を読み込む。
【０１２９】
以上の構成により、プリント端末３は、画像へのアクセスが許可されていないユーザーが、アクセス許可者の顔写真を顔認証用画像８０として使用してアクセスを試みた場合、アクセス情報の照合結果に基づき、ユーザーがアクセス許可者とは異なる他人であると判断できる。このように、プリント端末３は、ユーザーがアクセス許可者であることを正確に判定し、不正なアクセスを防止する。
【０１３０】
また、プリント端末３は、第１アクセス情報を設定するアクセス情報設定部６０をさらに含む。
【０１３１】
以上の構成により、プリント端末３は、登録者が画像を画像蓄積サーバー１にアップロードする際に、アクセス許可者の第１顔認証データに対応するアクセス情報として、アクセスレベルを設定することを可能にする。プリント端末３は、登録者とアクセス許可者との関係に応じて、アクセス許可者がダウンロードできる画像の種類を分けることを可能にする。
【０１３２】
また、プリント端末３における第１アクセス情報は、画像蓄積サーバー１に画像をアップロードした登録者と、ユーザーとが、互いに知り得る質問と質問に対する回答とを含む。第２アクセス情報は、第１アクセス情報に含まれる質問に対する回答を含む。
【０１３３】
以上の構成により、プリント端末３は、アクセス許可者が質問に対する回答を入力することにより、そのアクセスがアクセス許可者でないユーザーによる不正アクセスであるか否かを容易に判定することができる。
【０１３４】
また、第２顔認証データの生成に用いられる画像（顔認証用画像８０）は、画像蓄積サーバー１に保存されている画像とは異なる。
【０１３５】
以上の構成により、プリント端末３は、画像蓄積サーバー１にアップロードされた画像だけでなく、ユーザーが保有している別画像により生成した第２顔認証データに基づき、画像蓄積サーバー１から画像をダウンロードする。ユーザーは、プリント端末３が設置された場所に依らず、容易に印刷することが出来る。
【０１３６】
なお、本発明は、その発明の範囲内において、実施の形態を適宜、変形、省略することが可能である。
【０１３７】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０１３８】
１  画像蓄積サーバー、２  通信網、３  プリント端末、４１  記憶部、４３  識別情報処理部、５３  入力部、５４  画像取得部、５５  顔認証データ生成部、６０  アクセス情報設定部。
【図１】
2020060845.tif 000003
【図２】
2020060845.tif 000004
【図３】
2020060845.tif 000005
【図４】
2020060845.tif 000006
【図５】
2020060845.tif 000007
【図６】
2020060845.tif 000008
【図７】
2020060845.tif 000009
【図８】
2020060845.tif 000010
【図９】
2020060845.tif 000011
【図１０】
2020060845.tif 000012
【図１１】
2020060845.tif 000013
【図１２】
2020060845.tif 000014
【図１３】
2020060845.tif 000015
【図１４】
2020060845.tif 000016
【図１５】
2020060845.tif 000017
【図１６】
2020060845.tif 000018
【図１７】
2020060845.tif 000019
【図１８】
2020060845.tif 000020
【図１９】
2020060845.tif 000021
【図２０】
2020060845.tif 000022
【図２１】
2020060845.tif 000023